【事件の表示】
　特願２０１６−　１４７８３号「照明システム、及び、鶏の飼育方法」拒絶査定不服審判事件〔平成２９年　８月　３日出願公開、特開２０１７−１３５０２８号〕について、次のとおり審決する。
【結　論】
　本件審判の請求は、成り立たない。
【理　由】
第１　手続の経緯
　本願は、平成２８年１月２８日の出願であって、令和１年７月１９日付けで拒絶理由が通知され、同年８月２０日付けで意見書が提出されたが、同年１２月５日付けで拒絶査定（以下「原査定」という。）がされ、これに対し、令和２年２月１８日に拒絶査定不服審判が請求されたものである。
第２ 本願発明
　本願の請求項１〜６に係る発明は、特許請求の範囲の請求項１〜６に記載された事項により特定されるものと認められるところ、その請求項１に係る発明（以下「本願発明」という。）は、以下のとおりのものである。
「【請求項１】
　養鶏に用いられる照明システムであって、
　発光ピーク波長が４８０ｎｍ以上５８０ｎｍ以下の光を発する光源部と、
　鶏の育成期間における育成前期に、前記光源部が発する前記光を鶏の飼育領域に照射する制御を行う制御部とを備える
　照明システム。」
第３　原査定の拒絶の理由
　原査定の拒絶の理由の概要は、次のとおりである。
（１）この出願の請求項１、４、６に係る発明は、その出願前に日本国内又は外国において、頒布された以下の引用文献１〜２に記載された発明に基いて、その出願前にその発明の属する技術の分野における通常の知識を有する者（以下「当業者」という。）が容易に発明をすることができたものであるから、特許法第２９条第２項の規定により特許を受けることができない。
（２）この出願の請求項２〜３に係る発明は、その出願前に日本国内又は外国において、頒布された以下の引用文献１〜３に記載された発明に基いて、当業者が容易に発明をすることができたものであるから、特許法第２９条第２項の規定により特許を受けることができない。
（３）この出願の請求項５に係る発明は、その出願前に日本国内又は外国において、頒布された以下の引用文献１〜４に記載された発明に基いて、当業者が容易に発明をすることができたものであるから、特許法第２９条第２項の規定により特許を受けることができない。
　引用文献１：特表昭５９−５０１５７６号公報
　引用文献２：特開２００５−１３７２３８号公報
　引用文献３：特開２０１４−１５０７５６号公報
　引用文献４：特開２０１１−２５３８１３号公報
第４　引用文献の記載事項及び引用発明等
１　引用文献１について
１−１　記載事項
　原査定の拒絶の理由に引用された上記引用文献１には、次の事項が記載されている（下線は当審にて付与した。以下同様である。）。
（１ａ）第５ページ左上欄第５行〜右上欄第１２行
「本発明ではまた、波長４００〜６００ナノメーターの狭い緑色帯範囲の
発光装置
放射線の８０％が狭い緑色帯に存在
螢光ランプ
養鶏に
総放射量の最大割合は波長約５４４ナノメーター付近である
　次の表は、このランプからの総放射量のスペクトル表示である。
　　
波長帯（ナノメーター）
総放射量％
　　　　　　＜ 480　　　　　　　9.7
　　　　480 − 500　　　　　　 11.4
　　　　500 − 520　　　　　　　1.2
　　　　520 − 540　　　　　　　3.6
　　　　540 − 560　　　　　　 50.7
　　　　560 − 580　　　　　　　2.4
　　　　580 − 600　　　　　　　9.2
　　　　600 − 620　　　　　　　2.0
　　　　　　＞ 620　　　　　　　9.8
　この特定波長帯内の放射線は多くの生物の成長を促進する。これらの波長における放射線は特に家禽類の成長促進に効果的である。そこで本発明では
産卵用若どりが性的発達により産卵を開始できる適正体重に達するまで、まず前記の緑色帯範囲内螢光照明で照射する
１−２　引用発明
　上記１−１より、引用文献１には、次の発明（以下「引用発明」という。）が記載されていると認められる。
「養鶏に用いられる発光装置であって、
放射線の８０％が狭い緑色帯に存在し、総放射量の最大割合は波長約５４４ナノメーター付近である螢光ランプと、
産卵用若どりが性的発達により産卵を開始できる適正体重に達するまで、まず前記の緑色帯範囲内螢光照明で照射する発光装置。」
２　引用文献２について
２−１　記載事項
　原査定の拒絶の理由に引用された上記引用文献２には、図面とともに次の事項が記載されている。
（２ａ）「【請求項１】
半導体光源から発せられる波長４８０〜５８０ｎｍの範囲にピーク波長を有する光を有用家畜に照射すること
（２ｂ）「【０００１】
　本発明は、有用家畜の肥育方法及び肥育装置に関するものである。
【背景技術】
【０００２】
　
鶏や豚などの有用家畜
（２ｃ）「【００２５】
　有用家畜としては、豚、牛、山羊、羊等が挙げられるが、豚であることが好ましい。
【００２６】
　半導体光源から発せられる光のピーク波長の範囲は、４８０〜５８０ｎｍであり、４８０〜５６０ｎｍであることが好ましく、５３０〜５８０ｎｍであることがより好ましい。かかる範囲の光は
緑色を呈
有用家畜の肥育を促進
（２ｄ）「【００２９】
　図１は、本発明の有用家畜の肥育装置の第１の実施形態の概略斜視図である。図２は、ＬＥＤ照射灯の平面図である。本実施形態に係る有用家畜の肥育装置１００は、外部光を遮蔽した畜舎１０の内部に、光源パネル１１と、ＬＥＤ照射灯１２と、温度センサ１５と、炭酸ガスセンサ１６と、給餌器（図示せず）と、給水器（図示せず）とを備え、畜舎１１の外部には、光源制御装置２１と、温度制御装置２２と、炭酸ガス制御装置２３とを備えて構成されている。」
（２ｅ）「【００３２】
　ＬＥＤ照射灯１２は、梁１７の長手方向へ一直線状に、例えば３４ｃｍの等間隔で５台設置されている。これにより、
畜舎１０の床面全体をＬＥＤ照射灯１２で照射
（２ｆ）「【 ００３５】
　ＬＥＤ１３及び補助灯１４の出力レベルは、有用家畜１８の肥育状態を観測した結果に応じて光源パネル１１に接続した
光源制御装置２１
制御
ＬＥＤ１３
の照射時間や光量を最適化する
（２ｇ）引用文献２には次の図が示されている。
【図１】
２−２　引用文献２に記載された技術的事項
　上記２−１より、引用文献２には、次の技術的事項が記載されていると認められる。
ア　引用文献２技術Ａ
「有用家畜の肥育を促進するために、半導体光源から発せられる波長４８０〜５８０ｎｍの範囲にピーク波長を有する緑色を呈する光を有用家畜に照射すること。」（適示（２ａ）、（２ｃ））
イ　引用文献２技術Ｂ
「ＬＥＤ照射灯１２で畜舎１０の床面全体を照射する際、その照射時間や光量を最適化する制御を行う光源制御装置２１を設けること。」（適示（２ｅ）、（２ｆ））
第５　対比
　本願発明と引用発明とを対比する。 
ア　引用発明の「養鶏に用いられる発光装置」は、「緑色帯範囲内螢光
照明
イ　本願発明の「発光ピーク波長が４８０ｎｍ以上５８０ｎｍ以下の光」は、本願明細書の段落【００２０】に、「緑色光源２１ｇは、緑色光を発する光源である。緑色光源２１ｇは、例えば、発光ピーク波長が４８０ｎｍ以上５８０ｎｍ以下の
緑色光（詳細には、緑青色、青緑色、緑色、及び、黄緑色の光を含む）
放射線の８０％が狭い緑色帯に存在し
ウ　引用発明の「産卵用若どりが性的発達により産卵を開始できる適正体重に達するまで」は、引用文献１の「このスペクトル帯内の波長での放射が
ひな鳥の成長率
エ　引用発明の「緑色帯範囲内螢光照明で照射する」ことは、「緑色帯範囲内螢光照明」は「螢光ランプ」が発する光であって、鶏に照射することは明らかである。そうすると、引用発明の「緑色帯範囲内螢光照明で照射する」ことと、本願発明の「前記光源部が発する前記光を鶏の飼育領域に照射する制御を行う制御部」を「備える」こととは、「前記光源部が発する前記光を鶏に照射する」という点で共通する。
　以上によれば、本願発明と引用発明とは、
「養鶏に用いられる照明システムであって、
　主に緑色光を発する光源部、を備え、
　鶏の育成期間における育成前期に、前記光源部が発する前記光を鶏に照射する照明システム。」である点で一致し、以下の点で相違している。 
＜相違点１＞
　光源部が発する光に関し、本願発明は、「発光ピーク波長が４８０ｎｍ以上５８０ｎｍ以下の光」であるのに対し、引用発明は、「放射線の８０％が狭い緑色帯に存在し、総放射量の最大割合は波長約５４４ナノメーター付近である」点。
＜相違点２＞
　本願発明は、「鶏の育成期間における育成前期に、前記光源部が発する前記光を鶏の飼育領域に照射する制御を行う制御部」を備えるのに対し、引用発明は「産卵用若どりが性的発達により産卵を開始できる適正体重に達するまで、まず前記の緑色帯範囲内螢光照明で照射する」、すなわち、「鶏の育成期間における育成前期に、前記光源部が発する前記光を鶏に照射する」ものの、光を「鶏の飼育領域」に照射するか明らかでなく、また、そのような「制御部」を有するか明らかでない点。
第６　相違点についての判断 
１　上記相違点１について
　引用発明の光は、「総放射量の最大割合は波長約５４４ナノメーター付近である」から、引用発明の発光ピーク波長は、５４４ナノメーターであるともいえる。また、引用発明の発光ピーク波長は、５４４ナノメーター付近であって、５４４ナノメートルであるとまではいえないとしても、上記第４、２、２−２、アに「引用文献２技術Ａ」として示したとおり、引用文献２には、「有用家畜の肥育を促進するために、半導体光源から発せられる波長４８０〜５８０ｎｍの範囲にピーク波長を有する緑色を呈する光を有用家畜に照射すること。」が記載されている。
　ここで、引用文献２の段落【０００２】には、背景技術として、「鶏や豚などの有用家畜」と記載されているから、上記引用文献２技術Ａの「有用家畜」は、「鶏」を包含するものといえる。なお、引用文献２の段落【００２５】にも、「有用家畜としては、豚、牛、山羊、羊
等が挙げられる
　そして、引用文献１（摘示（１ａ））にも、「この特定波長帯内の放射線は
多くの生物の成長を促進する
家禽類の成長促進に効果的である。
家禽類生産の改善法を案出した
　よって、引用発明と引用文献２技術Ａとは、家禽類生産用の照明システムという共通の技術分野に属し、家禽類の成長を促進させるために緑色光を照射するという機能も共通するから、引用発明の光源部として、引用文献２技術Ａの「波長４８０〜５８０ｎｍの範囲にピーク波長を有する」「半導体光源」を採用し、相違点１に係る本願発明のごとく構成することは、当業者にとって容易である。
２　上記相違点２について
　上記第４、２、２−２、イに「引用文献２技術Ｂ」として示したとおり、引用文献２には、「ＬＥＤ照射灯１２で畜舎１０の床面全体を照射する際、その照射時間や光量を最適化する制御を行う光源制御装置２１を設けること。」が記載されている。
　ここで、引用文献２技術Ｂの「ＬＥＤ照明灯１２」は、本願発明の「光源部」に相当し、以下同様に、「畜舎１０の床面全体」は、「飼育領域」に、「光源制御装置２１」は、「制御部」に相当する。また、引用文献２技術Ｂの「ＬＥＤ照射灯１２で畜舎１０の床面全体を照射する際、その照射時間や光量を最適化する制御を行う」ことは、以上を踏まえると、「光源部が発する光を飼育領域に照射する制御を行う」ことといえる。
　よって、引用文献２技術Ｂは、「光源部が発する光を飼育場所に照射する制御を行う制御部を設けること。」といえる。
　そして、引用発明と引用文献２技術Ｂとは、家禽類生産用の照明システムという共通の技術分野に属し、光源部が発する光を家禽類に照射するという機能も共通するものである。引用発明は、「産卵用若どりが性的発達により産卵を開始できる適正体重に達するまで、まず前記の緑色帯範囲内螢光照明で照射する発光装置」であるところ、そのような発光装置を具現化するにあたり、引用文献２技術Ｂの「制御部」を採用し、相違点２に係る本願発明のごとく構成することは、当業者が格別の創意を要することなく容易になし得た程度のことである。
第７　むすび 
　以上のとおり、本願発明は、引用発明並びに引用文献２技術Ａ及びＢに基いて、当業者が容易になし得たものであって、特許法第２９条第２項の規定により特許を受けることができない。
　したがって、その余の請求項について検討するまでもなく、本願は拒絶すべきものである。
　よって、結論のとおり審決する。